(57)【特許請求の範囲】
【請求項１】
信号をブロードキャストする方法であって、
第１のヘッドエンド装置の第１のセレクタが、第１のリングの第１の受信パイプを通して信号の第１のコピーを受信する段階と、
前記第１のセレクタが、第２のリングの第２の受信パイプを通して前記信号の第２のコピーを受信する段階と、
前記第１のセレクタが、前記第１のコピーまたは前記第２のコピーのいずれかを選択する段階と、
前記第１のセレクタが、前記第１のリングの第１の送信パイプを通して選択した前記コピーを送信する段階とを含む方法。
【請求項２】
前記第１のヘッドエンド装置の第２のセレクタが、前記第１のリングの前記第１の受信パイプを通して前記信号の前記第１のコピーを受信する段階と、
前記第２のセレクタが、前記第２のリングの前記第２の受信パイプを通して前記信号の前記第２のコピーを受信する段階と、
前記第２のセレクタが、前記第１のコピーまたは前記第２のコピーのいずれかを選択する段階と、
前記第２のセレクタが、前記第２のリングの第２の送信パイプを通して選択した前記コピーを送信する段階とをさらに含む、請求項１に記載の方法。
【請求項３】
前記第１の送信パイプ及び前記第１の受信パイプはパススルーノードをパススルーし、前記パススルーノードは、光ドロップ・アンド・コンティニューを実行する光アッド・ドロップ・マルチプレクサと、前記第１のリングまたは前記第２のリングから少なくとも１つの信号を選択するフレックスポンダとを有する、請求項１に記載の方法。
【請求項４】
第２のヘッドエンド装置が前記信号を第２の波長で送信し、前記第１のヘッドエンド装置が他の信号を第１の波長で送信し、前記第１の波長は前記第２の波長と略同一である、請求項１に記載の方法。
【請求項５】
信号をブロードキャストするシステムであって、
第１のリングの第１の受信パイプを通して信号の第１のコピーを受信し、
第２のリングの第２の受信パイプを通して前記信号の第２のコピーを受信し、
前記第１のコピーと前記第２のコピーのいずれかを選択する第１のヘッドエンド装置の第１のセレクタと、
前記第１のリングの第１の送信パイプを通して選択したコピーを送信する前記第１のセレクタに結合された第１の出力とを含むシステム。
【請求項６】
信号をブロードキャストするロジックであって、前記ロジックはコンピュータ読み取り可能記憶媒体に化体され、コンピュータに、
第１のヘッドエンド装置の第１のセレクタにおいて、第１のリングの第１の受信パイプを通して信号の第１のコピーを受信する段階と、
前記第１のセレクタにおいて、第２のリングの第２の受信パイプを通して前記信号の第２のコピーを受信する段階と、
前記第１のセレクタにおいて、前記第１のコピーまたは前記第２のコピーのいずれかを選択する段階と、
前記第１のセレクタにおいて、前記第１のリングの第１の送信パイプを通して選択したコピーを送信する段階とを実行させるロジック。
【請求項７】
信号をブロードキャストするシステムであって、
第１のヘッドエンド装置の第１のセレクタが、第１のリングの第１の受信パイプを通して信号の第１のコピーを受信する手段と、
前記第１のセレクタが、第２のリングの第２の受信パイプを通して前記信号の第２のコピーを受信する手段と、
前記第１のセレクタが前記第１のコピーまたは前記第２のコピーのいずれかを選択する手段と、
前記第１のセレクタが、前記第１のリングの第１の送信パイプを通して選択したコピーを送信する手段とを含むシステム。
【発明の詳細な説明】
【技術分野】
【０００１】
本発明は、通信ネットワークの分野に関し、特に通信ネットワークにおけるブロードキャスト信号の送信に関する。
【背景技術】
【０００２】
ビデオ信号は、通信ネットワークのビデオヘッドエンド装置フィス（ＶＨＯ）からビデオサービングオフィス（ＶＳＯ）にブロードキャストされ、さらに加入者に配信される。一般的には、ネットワークは、キャパシティが大きければ多くの加入者に多くの情報を伝達できる。また、ネットワークで障害が発生しても、サービングオフィスは障害プロテクション（failure  protection）により信号を受信することができる。しかし、従来の通信ネットワークでは、場合によっては送信効率が十分でない、または障害プロテクションが提供できない。
【発明の開示】
【発明が解決しようとする課題】
【０００３】
本発明により、通信ネットワークにおいて信号をブロードキャストする従来の方法に付随する不利益と問題を軽減または除去することができる。
【課題を解決するための手段】
【０００４】
本発明の一実施形態では、信号のブロードキャストにおいて、第１のヘッドエンド装置の第１のセレクタが、第１のリングの第１の受信パイプを通して信号の第１のコピーを受信する。前記第１のセレクタが、第２のリングの第２の受信パイプを通して前記信号の第２のコピーを受信する。第１のセレクタが、第１のコピーまたは第２のコピーのいずれかを選択する。前記第１のリングの第１の送信パイプを通して選択したコピーを送信する。
【０００５】
本発明の実施形態は１つ以上の技術的有利性を提供する。一実施形態の技術的優位性の１つとして、ネットワークの各ヘッドエンド装置がサブ波長機能を有するフレックスポンダ（flexponder）を含む。ヘッドエンド装置は他のヘッドエンド装置からのビデオ信号を累積（aggregates）し、同一波長で送信する。したがって、パススルー（pass-through）ノードにはサブ波長機能は必要ない。
【０００６】
一実施形態のもう一つの技術的優位性として、ヘッドエンド装置は、リングネットワークの受信パイプから信号のコピーを受信できる。そのヘッドエンド装置のセレクタは、１つのコピーを選択して、選択したコピーを、送信パイプを通して伝送する。そのヘッドエンド装置の他のセレクタは、１つのコピーを選択して、選択したコピーを他の送信パイプを通して伝送する。相異なる複数のパイプを通して信号の複数のコピーを伝送するので、１つのパイプに障害が発生してもプロテクト（protection）される。
【０００７】
本発明の実施形態には、上記の技術的な有利性を含まないもの、一部を含むもの、すべてを含むものがある。図面、詳細な説明、及び特許請求の範囲に基づき、当業者には容易に１つ以上の技術的な有利性が明らかとなるであろう。
【発明を実施するための最良の形態】
【０００８】
本発明とその特徴及び優位性をよりよく理解してもらうため、添付した図面を参照しつつ以下に説明する。
【０００９】
本発明の実施形態とその優位性は、図１乃至図３Ｂを参照してよく理解できる。図面において、同じ参照符号は同一または対応する要素を示している。
【００１０】
図１は、信号をブロードキャストするネットワーク１０の一実施形態を示す図である。図示した実施形態において、ネットワーク１０は、リング４０と、そのリング４０に結合されたヘッドエンド装置３０とパススルー（pass-through）ノード３４とを含む。リング４０はパイプ４４を含む。動作の一例では、ヘッドエンド装置３０はパイプ４４との間で信号のコピーを送受信する。相異なる複数のパイプ４４を通して信号のコピーを伝送するので、１つのパイプ４４に障害が発生してもプロテクト（protection）される。
【００１１】
図示した実施形態において、ヘッドエンド装置３０は同一の波長または相違する波長で動作できるヘッドエンド装置３０ａ及び３０ｂを含む。一実施形態では、ヘッドエンド装置３０はビデオヘッドエンドオフィス（ＶＨＯ）であり、任意の波長レベル（波長レベルまたはサブ波長レベル等）でＭＳＰＰ（Multiservice  Provisioning  Platform）を実行できる。
【００１２】
ヘッドエンド装置３０は信号源から信号４６を受信する。信号４６は、ビデオ、オーディオ、テキスト、またはマルチメディアなど如何なる情報も伝達することができる。ヘッドエンド装置３０は信号４６のコピーである信号４８を送信する。図示した実施形態において、ヘッドエンド装置３０ａは信号４８ａ及び４８ｂを送信し、ヘッドエンド装置３０ｂは信号４８ｃ及び４８ｄを送信する。信号４８は光信号であってもよく、波長とデータレートは任意である。データレートは、例えば毎秒１ギガビット（１Ｇ）から毎秒４０ギガビット（４０Ｇ）の範囲である。例えば、信号４８は、１．２Ｇのギガビットイーサネット（ＧｉｇＥ、イーサネットは登録商標、以下同様）信号や、２．５ＧのＯＣ−４８信号である。信号４８はリング４０を通して伝送される。
【００１３】
図示した実施形態において、リング４０はリング４０ａ及び４０ｂを含む。リング４０ａは一方向で信号４８ａ及び４８ｃを通信し、リング４０ｂは他方向で信号４８ｂ及び４８ｄを通信する。一実施形態では、リング４０は光ファイバリングである。１つの光ファイバリングは複数のリング４０を有していてもよい。リング４０で使用されるプロトコルや送信方法は任意であり、例えばＤＷＤＭ（Dense  Wavelength  Division  Multiplexing）を利用したＳＯＮＥＴ（Synchronous  Optical  Network）である。一実施形態では、リング４０は同一波長で信号を通信する。
【００１４】
リング４０はヘッドエンド装置３０の間で信号を通信するパイプ４４を含む。図示した実施形態では、リング４０ａはパイプ４４ａ及び４４ｂを含み、リング４０ｂはパイプ４４ｃ及び４４ｄを含む。パイプ４４のキャパシティは任意であり、例えば１Ｇから１００Ｇの範囲であり、例えば２．５Ｇや１０Ｇである。一実施形態では、リング４０はヘッドエンド装置３０からパススルーノード３４まで８Ｇ（８ＧｉｇＥ）までを通信できる。
【００１５】
パイプ４４はヘッドエンド装置３０との間で信号４８をやりとりできる。パイプ４４は、ヘッドエンド装置３０からの信号４８を送信するとき、ヘッドエンド装置３０の送信パイプ（transmit  pipe）として機能する。パイプ４４は、ヘッドエンド装置３０がパイプ４４を通して信号４８を受信するとき、ヘッドエンド装置３０の受信パイプ（receive  pipe）として機能する。例えば、パイプ４４ｂはヘッドエンド装置３０ａの送信パイプとして、及びヘッドエンド装置３０ｂの受信パイプとして機能する。
【００１６】
一実施形態では、パイプ４４はヘッドエンド装置３０ａ及び３０ｂからの信号４８を通信する。例えば、パイプ４４ａと４４ｂは、それぞれヘッドエンド装置３０ａからの信号４８ａと、ヘッドエンド装置３０ｂからの信号４８ｃとを通信する。パイプ４４ｃと４４ｄは、それぞれヘッドエンド装置３０ａからの信号４８ｂとヘッドエンド装置３０ｂからの信号４８ｄとを通信する。複数のパイプ４４が複数の信号４６ａと４６ｂのコピーを通信するので、パイプ４４に障害が発生しても障害プロテクションされる。スイッチ構成（switch  fabric）が送信・受信パイプ４４と関連付けられ、リング４０及びヘッドエンド装置のセレクタを形成している。
【００１７】
図示した実施形態では、パススルーノード３４は複数のパススルーノード３４ａ、３４ｂ、３４ｃ、３４ｄ及び３４ｅを含む。一実施形態では、パススルーノード３４はビデオサービングオフィス（ＶＳＯ）を含む。パススルーノード３４は、リング４０またはパイプ４４から信号４８を受信し、その信号４８を加入者端末等の端末（endpoint）に伝送する。パススルーノード３４は光ドロップ・アンド・コンティニュー（drop-and-continue）を行う光アッド・ドロップ・マルチプレクサ（ＯＡＤＭ）であってもよい。
【００１８】
パススルーノード３４はフレックスポンダ（ＦＬＸＰＤＲ（flexponder））を含んでもよい。フレックスポンダ（ＦＬＸＰＤＲ）５２は、パイプ４４から受信した高品質信号４８等の信号４８を選択する光セレクタを含む。一実施形態では、フレックスポンダ５２はサブ波長機能（sub-wavelength  activity）を必要としないので、信号フォーマットがヘッドエンド装置３０の信号フォーマットと互換であれば、任意のトランスポンダが同じ機能を果たせる。一実施形態では、複数のヘッドエンド装置３０がサブ波長クロスコネクト（sub-wavelength  cross-connecting）を通して同一波長で通信する場合、パススルーノード３４がヘッドエンド装置３０からの信号を受け入れるために必要とするフレックスポンダ５２は１つだけである。
【００１９】
ネットワーク１０の構成要素は、インタフェース、ロジック、メモリ、またはその他の適切な要素を含んでいてもよい。インタフェースは入力を受信し、出力を送信し、入力や出力を処理し、その他の適切な動作を行う。インタフェースはハードウェア及び／またはソフトウェアを含む。
【００２０】
ロジックは、これらの構成要素の動作を行い、例えば、入力から出力を生成する命令を実行する。ロジックはハードウェア、ソフトウェア及び／またはその他のロジックを含む。プロセッサ等のある種のロジックが構成要素の動作を管理してもよい。プロセッサの例としては、例えば、コンピュータ、マイクロプロセッサ、アプリケーションその他のロジックがある。
【００２１】
メモリは情報を記憶する。メモリは、コンピュータのメモリ（ＲＡＭ、ＲＯＭ等）、大規模記憶媒体（ハードディスク等）、リムーバブル記憶媒体（ＣＤ、ＤＶＤ等）、データベースやネットワーク記憶装置（サーバ等）、その他のコンピュータ読み取り可能な媒体が含まれる。
【００２２】
本発明の範囲から逸脱することなく、ネットワーク１０に修正、追加、または削除をすることができる。ネットワーク１０の構成要素は一体化されていても分離されていてもよい。さらに、ネットワーク１０の動作を実行する構成要素は、これより多くても少なくてもよいし、他のものであってもよい。また、ネットワーク１０の動作の実行は、ソフトウェア、ハードウェア、及び／またはその他のロジックを含むいかなる好適なロジックを用いて行われてもよい。本明細書では、「各」とは、集合の各要素、または集合の部分集合の各要素を指す。
【００２３】
図２は、図１のネットワーク１０で使用できるヘッドエンド装置３０の実施形態を示す図である。一実施形態では、信号４６はギガビットイーサネット(登録商標)の信号である。パイプ４４は、２．５Ｇ波長のＯＣ−４８パイプを表し、ＳＯＮＥＴのＯＣ−４８送信信号を通信できる。ＯＣ−４８パイプは２本のギガビットイーサネット信号を担うことができる。ＯＣ−４８パイプは、時分割多重（ＴＤＭ）により、それぞれがＳＴＳ−１（Synchronous  Transport  Signal-１）である４８のタイムスロットを有する。パイプ４４の一部のスロットはヘッドエンド装置３０からの信号に割り当てられ、他の一部のスロットは他のヘッドエンド装置３０からの信号に割り当てられる。図示した例では、スロット１−２４はヘッドエンド装置３０ａからの信号４８ａ、４８ｂに割り当てられ、スロット２５−４８はヘッドエンド装置３０ｂからの信号４８ｃ、４８ｄを通信する。
【００２４】
ヘッドエンド装置３０は少なくとも１つのトランスポンダを含む。１つのトランスポンダ（フレックスポンダ等）は１つの波長で通信する。フレックスポンダは、サブ波長（sub-wavelength）レベルで、すなわち例えばＳＴＳ−１信号の複数のグループを含むレベルで、信号を多重、累積（aggregate）、グルーミング（groom）する。
【００２５】
一実施形態では、ヘッドエンド装置３０はＵＰＳＲ（Unidirectional  Path  Switched  Ring）セレクタ等のセレクタ６０を含む。図示した例では、ヘッドエンド装置３０ａはセレクタ６０ａ、６０ｂ、６０ｅを含み、ヘッドエンド装置３０ｂはセレクタ６０ｃ、６０ｄ、６０ｆを含む。
【００２６】
セレクタ６０は信号４６のコピーである複数の信号４８を受信し、１つの信号４８を選択してパイプ４４で送信する。例えば、セレクタ６０は、２つの信号４８が両方とも正常な信号であれば既定の信号（default  signal）４８を選択し、２つの信号４８の一方が正常でなければ正常な信号を選択する。図示した実施形態において、ヘッドエンド装置３０ａでは、セレクタ６０ａがコピー信号４８ｃ、４８ｄを受信し、１つの信号４８を選択し、選択した信号４８を出力６２ａから送信パイプ４４ｃに送信する。セレクタ６０ｂはコピー信号４８ｃ、４８ｄを受信し、１つの信号４８を選択し、選択した信号を出力６２ｂから送信パイプ４４ｂに送信する。
【００２７】
セレクタ６０が信号４８を選択する方法は任意である。例えば、セレクタ６０は、２つの信号４８をモニターする。セレクタ６０は、２つの信号４８が両方とも条件に合ったものであれば（例えば、信号品質がよければ）、既定の１つの信号４８を選択し、一方の信号４８が条件に合っていなければ、他方の信号４８を選択する。信号品質は、ＧＲ−１４００のＲ５−３７／３８仕様書の経路選択基準など、どんな基準に基づくものでもよい。
【００２８】
相異なる複数のパイプ４４を通して信号のコピーを伝送するので、１つのパイプ４４に障害が発生してもプロテクト（protection）される。
【００２９】
図３Ａと図３Ｂを参照して障害プロテクション（failure  protecting）の一例を説明する。
【００３０】
本発明の範囲から逸脱することなく、ヘッドエンド装置３０に修正、追加、または削除をすることができる。ヘッドエンド装置３０の構成要素は一体化されていても分離されていてもよい。さらに、ヘッドエンド装置３０の動作を実行する構成要素は、これより多くても少なくてもよいし、他のものであってもよい。
【００３１】
図３Ａと図３Ｂは、ネットワーク１０における障害対応方法の一実施形態を示す図である。障害には、例えばファイバが信号を伝送できないときに生じるファイバカット障害がある。
【００３２】
図３Ａは、パイプ４４を通して信号４８が通信されている時に障害６４ａが発生したことを示す。障害６４ａはパススルーノード３４ｃとヘッドエンド装置３０ｂの間で生じたものである。このときでも、パススルーノード３４ａ、３４ｂ、３４ｃは、ヘッドエンド装置３０ａからパイプ４４ｃを通して信号４６ａを受信し、ヘッドエンド装置３０ｂからパイプ４４ｄ、４４ｃを通して信号４６ｂを受信している。
【００３３】
図３Ｂは、パイプ４４を通して信号４８が通信されている時に障害６４ｂが発生したことを示す。障害６４ｂはパススルーノード３４ｂと３４ｃの間で生じたとする。このときでも、パススルーノード３４ａと３４ｂは、ヘッドエンド装置３０ａからパイプ４４ｃを通して信号４６ａを受信し、ヘッドエンド装置３０ｂからパイプ４４ｄと４４ｃを通して信号４６ｂを受信している。そして、ノード３４ｃはパイプ４４ａから信号４６ａと４６ｂを受信する。
【００３４】
本発明の範囲から逸脱することなく、本方法に修正、追加、または削除をすることができる。本方法に含まれるステップはこれより多くても少なくてもよく、他のステップが含まれてもよい。また、ステップを好適な任意の順序で実行してもよい。
【００３５】
本発明の実施形態は１つ以上の技術的有利性を提供する。一実施形態の技術的優位性として、ヘッドエンド装置は、リングネットワークの受信パイプから信号のコピーを受信できる。そのヘッドエンド装置のセレクタは、１つのコピーを選択して、選択したコピーを、送信パイプを通して伝送する。そのヘッドエンド装置の他のセレクタは、１つのコピーを選択して、選択したコピーを他の送信パイプを通して伝送する。相異なる複数のパイプを通して信号の複数のコピーを伝送するので、１つのパイプに障害が発生してもプロテクト（protection）される。
【００３６】
本開示を実施形態に関して説明したが、これらの実施形態の変形や置き換えは当業者には明らかであろう。従って、上記の実施形態の説明は本開示を限定するものではない。特許請求の範囲に記載した本開示の精神と範囲から逸脱せずに、その他の変更、置き換え、改変も可能である。
【００３７】
上記実施形態に関連して以下の付記を記す。
（付記１）  信号をブロードキャストする方法であって、
第１のヘッドエンド装置の第１のセレクタが、第１のリングの第１の受信パイプを通して信号の第１のコピーを受信する段階と、
前記第１のセレクタが、第２のリングの第２の受信パイプを通して前記信号の第２のコピーを受信する段階と、
前記第１のセレクタが、前記第１のコピーまたは前記第２のコピーのいずれかを選択する段階と、
前記第１のセレクタが、前記第１のリングの第１の送信パイプを通して選択した前記コピーを送信する段階とを含む方法。
（付記２）  前記第１のヘッドエンド装置の第２のセレクタが、前記第１のリングの前記第１の受信パイプを通して前記信号の前記第１のコピーを受信する段階と、
前記第２のセレクタが、前記第２のリングの前記第２の受信パイプを通して前記信号の前記第２のコピーを受信する段階と、
前記第２のセレクタが、前記第１のコピーまたは前記第２のコピーのいずれかを選択する段階と、
前記第２のセレクタが、前記第２のリングの第２の送信パイプを通して選択した前記コピーを送信する段階とをさらに含む、付記１に記載の方法。
（付記３）  前記第１のセレクタが前記第１のコピーまたは前記第２のコピーのいずれかを選択する段階において、前記第１のコピーと前記第２のコピーが所定の条件を満たせば、既定のいずれかのコピーを選択する、付記１に記載の方法。
（付記４）  前記第１のセレクタはＵＰＳＲセレクタを有する、付記１に記載の方法。
（付記５）  前記信号はビデオ媒体を伝送する、付記１に記載の方法。
（付記６）  前記第１のパイプはパススルーノードをパススルーし、前記パススルーノードは、光ドロップ・アンド・コンティニューを実行する光アッド・ドロップ・マルチプレクサと、前記第１のリングまたは前記第２のリングから少なくとも１つの信号を選択するフレックスポンダとを有する、付記１に記載の方法。
（付記７）  第２のヘッドエンド装置が前記信号を第２の波長で送信し、前記第１のヘッドエンド装置が他の信号を第１の波長で送信し、前記第１の波長は前記第２の波長と略同一である、付記１に記載の方法。
（付記８）  信号をブロードキャストするシステムであって、
第１のリングの第１の受信パイプを通して信号の第１のコピーを受信し、
第２のリングの第２の受信パイプを通して前記信号の第２のコピーを受信し、
前記第１のコピーと前記第２のコピーのいずれかを選択する第１のヘッドエンド装置の第１のセレクタと、
前記第１のリングの第１の送信パイプを通して選択したコピーを送信する前記第１のセレクタに結合された第１の出力とを含むシステム。
（付記９）  前記第１のリングの前記第１の受信パイプを通して前記信号の第１のコピーを受信し、
前記第２のリングの前記第２の受信パイプを通して前記信号の第２のコピーを受信し、
前記第１のコピーと前記第２のコピーのいずれかを選択する第１のヘッドエンド装置の第２のセレクタと、
前記第２のリングの第２の送信パイプを通して選択した前記コピーを送信する前記第２のセレクタに結合された第２の出力とをさらに含む、付記８に記載のシステム。
（付記１０）  前記第１のセレクタはさらに前記第１のコピーまたは前記第２のコピーのいずれかを選択し、前記第１のコピーと前記第２のコピーが所定の条件を満たせば、既定のいずれかのコピーを選択する、付記８に記載のシステム。
（付記１１）  前記第１のセレクタはＵＰＳＲセレクタを有する、付記８に記載のシステム。
（付記１２）  前記信号はビデオ媒体を伝送する、付記８に記載のシステム。
（付記１３）  前記第１のパイプはパススルーノードをパススルーし、
前記パススルーノードは、光ドロップ・アンド・コンティニューを実行する光アッド・ドロップ・マルチプレクサと、前記第１のリングまたは前記第２のリングから少なくとも１つの信号を選択するフレックスポンダとを有する、付記８に記載のシステム。
（付記１４）  第２のヘッドエンド装置が前記信号を第２の波長で送信し、前記第１のヘッドエンド装置が他の信号を第１の波長で送信し、前記第１の波長は前記第２の波長と略同一である、付記８に記載のシステム。
（付記１５）  信号をブロードキャストするロジックであって、前記ロジックはコンピュータ読み取り可能記憶媒体に化体され、コンピュータに、
第１のヘッドエンド装置の第１のセレクタにおいて、第１のリングの第１の受信パイプを通して信号の第１のコピーを受信する段階と、
前記第１のセレクタにおいて、第２のリングの第２の受信パイプを通して前記信号の第２のコピーを受信する段階と、
前記第１のセレクタにおいて、前記第１のコピーまたは前記第２のコピーのいずれかを選択する段階と、
前記第１のセレクタにおいて、前記第１のリングの第１の送信パイプを通して選択したコピーを送信する段階とを実行させるロジック。
（付記１６）  前記第１のヘッドエンド装置の第２のセレクタにおいて、前記第１のリングの前記第１の受信パイプを通して前記信号の前記第１のコピーを受信する段階と、
前記第２のセレクタにおいて、前記第２のリングの前記第２の受信パイプを通して前記信号の前記第２のコピーを受信する段階と、
前記第２のセレクタにおいて、前記第１のコピーまたは前記第２のコピーのいずれかを選択する段階と、
前記第２のセレクタにおいて、前記第２のリングの第２の送信パイプを通して選択した前記コピーを送信する段階とをさらに実行させる、付記１５に記載のロジック。
（付記１７）  前記第１のセレクタにおいて、さらに前記第１のコピーまたは前記第２のコピーのいずれかを選択し、前記第１のコピーと前記第２のコピーが所定の条件を満たせば、既定のいずれかのコピーを選択する、付記１５に記載のロジック。
（付記１８）  前記第１のパイプはパススルーノードをパススルーし、
前記パススルーノードは、
光ドロップ・アンド・コンティニューを実行する光アッド・ドロップ・マルチプレクサと、
前記第１のリングまたは前記第２のリングから少なくとも１つの信号を選択するフレックスポンダとを有する、付記１５に記載のロジック。
（付記１９）  第２のヘッドエンド装置が前記信号を第２の波長で送信し、前記第１のヘッドエンド装置が他の信号を第１の波長で送信し、前記第１の波長は前記第２の波長と略同一である、付記１５に記載のロジック。
（付記２０）  信号をブロードキャストするシステムであって、
第１のヘッドエンド装置の第１のセレクタが、第１のリングの第１の受信パイプを通して信号の第１のコピーを受信する手段と、
前記第１のセレクタが、第２のリングの第２の受信パイプを通して前記信号の第２のコピーを受信する手段と、
前記第１のセレクタが前記第１のコピーまたは前記第２のコピーのいずれかを選択する手段と、
前記第１のセレクタが、前記第１のリングの第１の送信パイプを通して選択したコピーを送信する手段とを含むシステム。
【図面の簡単な説明】
【００３８】
【図１】信号をブロードキャストするネットワークの一実施形態を示す図である。
【図２】図１のネットワークで使用できるヘッドエンド装置の一実施形態を示す図である。
【図３Ａ】図１のネットワークにおける障害対応方法の一実施形態を示す図である。
【図３Ｂ】図１のネットワークにおける障害対応方法の他の実施形態を示す図である。
【符号の説明】
【００３９】
１０  ネットワーク
３０  ヘッドエンド装置
３４  パススルーノード
４０  リング
４４  パイプ
４６  信号
４８  信号（のコピー）
５２  フレックスポンダ
６０  セレクタ
６２  出力
６４  障害
【図１】
0005168046.tif 000002
【図２】
0005168046.tif 000003
【図３Ａ】
0005168046.tif 000004
【図３Ｂ】
0005168046.tif 000005